(57)【要約】      （修正有）【課題】キャップを取り換えることができるゴルフクラブヘッドを提供する。【解決手段】ゴルフクラブヘッドはヘッド本体２０およびキャップ３０を備える。ヘッド本体２０は頂部２１、頂部２１に形成された開口部２６および開口部２６の周縁に形成された凸状当接部２７を有する。キャップ３０はヘッド本体２０の頂部２１の開口部２６に被さり、周縁部がヘッド本体２０の頂部２１の凸状当接部２７に当接する。ヘッド本体２０およびキャップ３０は複数のボルト４０によって着脱可能に連結される。ゴルフクラブヘッドは実際の状況に応じて材質の異なるキャップ３０を取り換えて重心を調整し、異なる打撃効果を生じることができる。【選択図】図２
0003223386.tif 000002
【実用新案登録請求の範囲】
【請求項１】
ヘッド本体、キャップおよび複数のボルトを備え、
前記ヘッド本体は頂部、底部、撃球部、側部およびチャンバーを有し、前記撃球部は前記頂部および前記底部と連結されて一体になり、前記側部は前記頂部、前記底部および前記撃球部と連結されて一体になり、前記チャンバーは前記頂部、前記底部、前記撃球部および前記側部によって囲まれて形成され、前記頂部は開口部および凸状当接部を有し、前記開口部は前記チャンバーに繋がり、前記凸状当接部は前記開口部の周縁に形成され、
前記キャップは、前記ヘッド本体の前記頂部の前記開口部を覆い、周縁部が前記ヘッド本体の前記頂部の前記凸状当接部に当接し、
複数の前記ボルトは前記ヘッド本体の前記頂部の前記凸状当接部および前記キャップの前記周縁部を着脱可能に結合させることを特徴とする、
ゴルフクラブヘッド。
【請求項２】
前記ヘッド本体の前記頂部の前記凸状当接部は複数のねじ孔柱部を有し、前記キャップの前記周縁部は複数の穿孔を有し、複数の前記ボルトはそれぞれヘッド部および前記ヘッド部に連結されるねじシャフトを有し、前記ヘッド部は前記穿孔内に位置し、前記ねじシャフトは前記ねじ孔柱部に締め付けられることを特徴とする請求項１に記載のゴルフクラブヘッド。
【請求項３】
前記ボルトは三つであり、一つの前記ボルトは前記ヘッド本体の前記撃球部の近くに配置され、別の二つの前記ボルトは前記ヘッド本体の前記側部の近くに配置されることを特徴とする請求項１または請求項２に記載のゴルフクラブヘッド。
【考案の詳細な説明】
【技術分野】
【０００１】
本考案はゴルフクラブヘッドに関し、詳しくは材質の異なるキャップを取り換えて重心を調整するゴルフクラブヘッドに関するものである。
【背景技術】
【０００２】
ゴルフクラブヘッドに最良の打撃効果を発揮させるために、重りによってゴルフクラブヘッドの重心を調整してゴルフクラブを振る際の安定性を向上させ、ボールの飛距離を効果的に増加させることが一般的である。
【０００３】
従来のゴルフクラブヘッドは鋳造技術によって一体成型され、嵌合方式によって重りと結合するため、プレーヤのニーズに応じて重りを随時調整することが難しい。従って、改善の余地がある。
【考案の概要】
【考案が解決しようとする課題】
【０００４】
本考案は実際の状況に応じて材質の異なるキャップを取り換えて重心を調整することによって異なる打撃効果を生じることができるゴルフクラブヘッドを提供することを主な目的とする
【課題を解決するための手段】
【０００５】
上述した課題を解決するためのゴルフクラブヘッドは、ヘッド本体、キャップおよび複数のボルトを備える。ヘッド本体は頂部、底部、撃球部、側部およびチャンバーを有する。撃球部は頂部および底部と連結されて一体になる。側部は頂部、底部および撃球部と連結されて一体になる。チャンバーは頂部、底部、撃球部および側部によって囲まれて形成される。頂部は開口部および凸状当接部を有する。開口部はチャンバーに繋がる。凸状当接部は開口部の周縁に形成される。キャップはヘッド本体の頂部の開口部に被さり、周縁部がヘッド本体の頂部の凸状当接部に当接する。複数のボルトはヘッド本体の頂部の凸状当接部およびキャップの周縁部を着脱可能に結合させる。
【０００６】
上述した構造特徴により、本考案によるゴルフクラブヘッドからボルトをハンド工具で取り外せば、プレーヤのニーズに応じて材質の異なる（例えばアルミニウム合金、マグネシウム合金、炭素繊維、ガラス繊維またはプラスチック製）キャップに取り換えることができる。新しいキャップの交換が終わった後、再びボルトを締め付ければ本考案によるゴルフクラブヘッドの重心を調整し、異なる打撃効果を生じることができる。
【０００７】
比較的好ましい場合、ヘッド本体の頂部の凸状当接部は複数のねじ孔柱部を有する。キャップの周縁部は複数の穿孔を有する。ボルトはヘッド部およびヘッド部に連結されるねじシャフトを有する。ボルトはヘッド部が穿孔内に位置し、ねじシャフトがねじ孔柱部に締め付けられることによって良好な固定効果を生じる。
【０００８】
比較的好ましい場合、ヘッド本体の頂部の凸状当接部とキャップの周縁部は少なくとも三つのボルトによって締め付けられ、固定される。一つのボルトはヘッド本体の撃球部の近くに配置される。別の二つのボルトはヘッド本体の側部の近くに配置される。ボルトの数、配置位置および材質を変えれば重心を微調整することができる。
【０００９】
本考案によるゴルフクラブヘッドの詳細な構造、特徴、組み立てまたは使用方法を、以下の実施形態の詳細な説明を通して明確にする。なお、以下の詳細な説明および本考案により提示された実施形態は本考案を説明するための一例に過ぎず、本考案の請求範囲を限定できないことは、本考案にかかわる領域において常識がある人ならば理解できるはずである。
【図面の簡単な説明】
【００１０】
【図１】本考案の一実施形態によるゴルフクラブヘッドを示す斜視図である。
【図２】本考案の一実施形態によるゴルフクラブヘッドを示す分解斜視図である。
【図３】本考案の一実施形態によるゴルフクラブヘッドを示す平面図である。
【図４】図３中の４−４線に沿った断面図である。
【考案を実施するための形態】
【００１１】
以下、本考案によるゴルフクラブヘッドを図面に基づいて説明する。なお、図中の同じ符号は同じ部品または類似した部品の構造特徴を示す。
【００１２】
（一実施形態）
図１および図２に示すように、本考案の一実施形態によるゴルフクラブヘッド１０はヘッド本体２０、キャップ３０および複数のボルト４０を備える。
【００１３】
ヘッド本体２０はチタン、ステンレス鋼、アルミニウムまたは炭素繊維などから製作され、頂部２１、底部２２、撃球部２３、側部２４およびチャンバー２５を有する。
図２および図４に示すように、撃球部２３は頂部２１および底部２２と連結されて一体になる。側部２４は頂部２１、底部２２および撃球部２３と連結されて一体になる。チャンバー２５は頂部２１、底部２２、撃球部２３および側部２４によって囲まれて形成される。頂部２１は開口部２６、凸状当接部２７および複数のねじ孔柱部２８を有する。開口部２６はチャンバー２５に繋がる。凸状当接部２７は開口部２６の周縁に突出して形成される。複数のねじ孔柱部２８は凸状当接部２７に形成される。詳しく言えば、凸状当接部２７のねじ孔柱部２８は三つである。一つのねじ孔柱部２８は撃球部２３の近くに配置される。別の二つのねじ孔柱部２８は側部２４の近くに配置される。
【００１４】
図１および図２に示すように、キャップ３０は、アルミニウム合金、マグネシウム合金、炭素繊維、ガラス繊維またはプラスチックなどから製作され、ヘッド本体２０の頂部２１の開口部２６に被さり、周縁部がヘッド本体２０の頂部２１の凸状当接部２７に当接する。キャップ３０は周縁部に複数の穿孔３２を有する。詳しく言えば、キャップ３０は三つの穿孔３２を有する。三つの穿孔３２は一つずつねじ孔柱部２８に対応する。
【００１５】
図２および図４に示すように、複数のボルト４０はそれぞれヘッド部４２およびヘッド部４２に連結されるねじシャフト４４を有する。ボルト４０はヘッド部４２がキャップ３０の穿孔３２内に位置し、ねじシャフト４４がヘッド本体２０の凸状当接部２７のねじ孔柱部２８に締め付けられるため、ヘッド本体２０の頂部２１の凸状当接部２７およびキャップ３０の周縁部は複数のボルト４０によって着脱可能に連結される。
図３に示すように、組立作業が完了した後、一つのボルト４０はヘッド本体２０の撃球部２３の近くに配置される。別の二つのボルト４０はヘッド本体２０の側部２４の近くに配置される。
【００１６】
上述した構造特徴により、本考案によるゴルフクラブヘッド１０からすべてのボルト４０をハンド工具（例えばドライバー）で取り外せば、プレーヤのニーズに応じて材質の異なる（例えばアルミニウム合金、マグネシウム合金、炭素繊維、ガラス繊維またはプラスチック製）キャップ３０に取り換えることができる。新しいキャップ３０の交換が終わった後、すべてのボルト４０を締め付ければ本考案によるゴルフクラブヘッド１０は材質の異なるキャップ３０によって重心を調整し、異なる打撃効果を生じることができる。
本考案は材質の異なるキャップ３０を取り換える方法のほかにボルト４０の数、配置位置および材質によって重心を微調整する方法を採用することができる。詳しく言えば、ヘッド本体２０の側部２４のあたりに一つまたは二つ以上のボルト４０を増設するか、一つのプラスチック製ボルト４０および二つの金属製（例えば炭素鋼、ステンレス鋼または銅）ボルト４０を使用するか、三つの材質が全く異なるボルト４０を使用すれば、重心を微調整することができる。三つの材質が全く異なるボルト４０は、炭素鋼製、ステンレス鋼製、銅製およびプラスチック製のうちの三つである。上述したとおり、本考案はボルト４０の数、配置位置および材質およびキャップ３０の材質を変えることによって重心の最適な配置位置を求めることができる。
【符号の説明】
【００１７】
１０  ゴルフクラブヘッド
２０  ヘッド本体
２１  頂部
２２  底部
２３  撃球部
２４  側部
２５  チャンバー
２６  開口部
２７  凸状当接部
２８  ねじ孔柱部
３０  キャップ
３２  穿孔
４０  ボルト
４２  ヘッド部
４４  ねじシャフト
【図１】
0003223386.tif 000003
【図２】
0003223386.tif 000004
【図３】
0003223386.tif 000005
【図４】
0003223386.tif 000006